(57)【特許請求の範囲】
【請求項１】
施工する屋根勾配が０．４０〜０．６０の範囲内に設定される瓦屋根において棟から軒先に向けて傾斜した谷を、所定の基準屋根勾配に対応するサイズの谷瓦を使用して形成する瓦葺き方法であって、施工する屋根勾配に対応して予め設定した桟木間ピッチを選択することにより、その屋根勾配が所定の基準屋根勾配と異なる場合でも、所定の谷幅員を実質的に保持するようにした谷を含む瓦葺き方法において、
屋根勾配が０．４０の場合を前記の所定の基準屋根勾配とし、
更に、施工する屋根勾配（ｘ）に対応した桟木間ピッチ（Ｐx）を、次式から求められる値に設定することを特徴とする谷を含む瓦葺き方法。
Ｐx＝Ｐ0   4＋Δｋ= Ｐ0   4×０．９２８５（１＋ｘ2）1  /  2 
但し、Ｐ0   4  は、屋根勾配０．４０（基準屋根勾配）場合の桟木間ピッチ。ｘは、施工する屋根勾配であって、水平奥行き１に対する高さ（ｘ）で示す。
【発明の詳細な説明】
【技術分野】
【０００１】
本発明は、瓦葺き方法に関するものであって、特に、棟から軒先に向けて傾斜した谷を形成する瓦葺き方法およびその瓦葺き方法に用いる谷瓦の改良に関する。
【背景技術】
【０００２】
陶器製屋根瓦の葺き上げ構造は、図２に例示するように、角度θの屋根勾配に構成された下地上に水平方向に配設した桟木１１に瓦１の尻端を係止させて、下側瓦の重ね長さ１ｂに上側の瓦頭部を順次重ね合わせ、働き長さ１ａを露出させた状態で、順次下から上に組み合せて葺き上げられている。  そして、屋根を上方から俯瞰した場合、水平投影図（図３）に示すように、建物の配置によって、棟から軒先に向けて傾斜して形成され、雨水が集約される谷１２または雨水が分配される隅棟１３とが設けられる。（特許文献１を参照）なお、この場合、働き長さ１ａは、桟木１１、１１のピッチＰに一致することは説明するまでもないことであろう。
【０００３】
本発明は、この谷１２の両側を構成する谷瓦１４および谷瓦１５に係る瓦葺き方法に関するもので、谷瓦１４と谷瓦１５の１例を図４、５に示す。
この谷の左側の谷瓦１４と右側の谷瓦１５とは、オーバラップ１４ａの有無を除いて、大略左右対称に形成されている。そして、その頭部側には、斜めに形成された傾斜辺１４ｂ、１５ｂが設けられていて、葺き上げられ場合、谷１２に沿って一直線の揃った谷側線ラインを形成するよう、その傾斜角度ｔが設定されている。
【０００４】
この場合、傾斜辺の下端ａ点と上端ｂ点の垂直方向（頭部から尻部へ向けた方向）の長さｋは、いわゆる働き長さ（図２では働き長さ１ａとして図示）と一致し、同時に、上下に一連の瓦はこの働き長さだけ繰り返し露出して葺設されることになるから、瓦を支持する桟木の間隔（桟木間ピッチ）とも一致するものである。
【０００５】
次に、谷瓦１５を対象とする図６の水平投影図（Ａ）、縦断面図（Ｂ）において、屋根勾配０．４における傾斜辺１５ｂの下端ａ点、上端ｂ点の位置関係を示している。
なお、屋根勾配とは、図２中の屋根下地の傾斜角θであるが、本発明では、屋根傾斜面の水平方向長さｄにおける傾斜面上端の高さがｈであるとき、ｈ／ｄの比で示すものとする。傾斜側面図（Ｂ）において、水平方向長さｄ＝１とし，傾斜面の上端の高さｈ＝０．４および０．６の場合の略図を示しており、それぞれ屋根勾配を０．４（通称、４寸勾配）および０．６（通称、６寸勾配）という。
なお、図２に示されるように、屋根勾配と瓦自体の葺き勾配とは厳密には異なるものの、その差は微差なので同一として説明している。
【０００６】
ここで、この谷瓦１５を、桟木間ピッチをそのままで基準の屋根勾配０．４から０．６に変更した場合の変化を見ると、傾斜側面図（Ｂ）では、勾配が大きくなるから、ａ点を軸として、ｂ点は上方のｂｂ点に向かって回動することになるが、この様子を水平投影図（Ａ）で見ると、ｂ点は谷側線ライン１２ｗからずれて谷芯１２ｃ方向に突出して位置するｂｂ点に移動することになる。
【０００７】
このように、屋根勾配が大きくなると、ｂ点がｂｂ点に移動することにより、谷幅員は上方に行くに従い徐々に狭められることになる。例えば、働き長さ２６９ｍｍの瓦の場合、このような状態で谷瓦を４枚葺き上げたとすると、ｂｂ点の変位は次々に加算され、下端部分の谷幅員が（勾配０．４の場合）７５ｍｍであったのが、勾配が０．6になると上方部分では４４ｍｍになり、約４０％も狭くなることが分かる。
【０００８】
このように、屋根勾配によって谷幅員が狭くなるのは美観上も好ましくないので、屋根勾配０．６の場合には、傾斜辺１５ｂの傾斜角度ｔを、屋根勾配０．４の場合に較べて小さく設定することにより、屋根勾配０．６の傾斜辺のラインは、水平投影図で、勾配が０．４の場合の傾斜辺１５ｂの谷側線ライン１２ｗに一致させることができる。かくして、傾斜辺１５ｂの傾斜角度ｔを調節することによって、谷の下部から上部まで直線状に各谷瓦の傾斜辺１５ｂを整列させることが可能となり、かつ所定の谷幅員が保持できるのである。
【０００９】
このように、屋根勾配に応じた傾斜辺１５ｂの傾斜角度ｔを設定することで、前記不具合を解消できる。しかし、このことは、施工する屋根勾配に応じて、それぞれ適正な傾斜角度ｔを持った複数種類の専用谷瓦が必要であることを意味するから、その分、製造在庫が増大することになり、コスト増になるという不具合があった。
なお、この明細書では、右側の谷瓦１５の場合を事例として説明しているが、左側の場合も同様であるので、その説明は省略するが、必要に応じて左右を読み替えて理解されるべきである。
【００１０】
【特許文献１】特開平０８−１０９７０８号公報、段落０００７、図１、図７、図８。
【発明の開示】
【発明が解決しようとする課題】
【００１１】
本発明は、上記の問題点を解決するためになされたものであり、施工する屋根勾配に応じた形状の専用谷瓦を準備する必要がなく、その結果、谷瓦の在庫を少なく抑えることを可能とする谷を含む瓦葺き方法を提供する。
【課題を解決するための手段】
【００１２】
上記の問題は、施工する屋根勾配が０．４０〜０．６０の範囲内に設定される瓦屋根において棟から軒先に向けて傾斜した谷を、所定の基準屋根勾配に対応するサイズの谷瓦を使用して形成する瓦葺き方法であって、施工する屋根勾配に対応して予め設定した桟木間ピッチを選択することにより、その屋根勾配が所定の基準屋根勾配と異なる場合でも、所定の谷幅員を実質的に保持するようにした谷を含む瓦葺き方法において、
屋根勾配が０．４０の場合を前記の所定の基準屋根勾配とし、
更に、施工する屋根勾配（ｘ）に対応した桟木間ピッチ（Ｐx）を、次式から求められる値に設定することを特徴とする谷を含む瓦葺き方法によって、解決することができる。
Ｐx＝Ｐ0   4＋Δｋ= Ｐ0   4×０．９２８５（１＋ｘ2）1  /  2 
但し、Ｐ0   4  は、屋根勾配０．４０（基準屋根勾配）場合の桟木間ピッチ。ｘは、施工する屋根勾配であって、水平奥行き１に対する高さ（ｘ）で示す。
【発明の効果】
【００１４】
次に、本発明をその作用、効果とともに、説明する。
本発明では、施工する屋根勾配に対応するよう予め設定した桟木間ピッチを選択することにより、所定の基準屋根勾配に対応した一定サイズの谷瓦を使用しながら、施工する屋根勾配が変化しても所定の谷幅員を実質的に保持することができるのであるが、その原理について概説する。（図１参照）
なお、本発明では、施工する屋根勾配の範囲を０．４０〜０．６０としているが、この範囲外の勾配は実用的でないので、本発明の適用範囲外とする。
【００１５】
図１（水平投影図（Ａ）、傾斜側面図（Ｂ））によって、谷の右側の谷瓦２１と谷沿い上方に隣り合う谷瓦２２との位置関係を説明する。
先ず、基準とする屋根勾配０．４において、各谷瓦の傾斜辺、例えば谷瓦２１（実線で表示している）の傾斜辺２１ｂ（下端０４ａ点と上端０４ｂ点を結ぶ実線）は、谷芯１２ｃに対して一定距離の幅員を示す谷側線ライン１２ｗに一致している。隣り合う谷瓦２２も同様（図示せず）である。
【００１６】
そして、施工する屋根勾配を０．６とした場合を示すと、基準の勾配０．４の谷瓦（実線表示）は施工時の勾配０．６の谷瓦（一点鎖線表示）に変更表示され、施工時の勾配０．６の谷瓦２１（１点鎖線）は、下端０４ａ点を基点とすると、上端０４ｂ点は、谷側線ライン１２ｗから谷芯１２ｃ側に突出した上端０６ｂ点に移動する（勾配０．６の場合の傾斜辺２１ｂは１点鎖線で示される）こととなり、上方の谷瓦２２はさらに相加的に谷芯方向に突出することは、先に述べた通りである。
【００１７】
ここで、谷沿い上方に隣り合う同勾配（０．６）の谷瓦２２（一点鎖線で表示している）を、下側の谷瓦２１の上端０６ｂ点に連接した側辺２１ｃに沿って棟方向（谷芯１２ｃから４５度上方向）に移動させることによって、図示のように、谷瓦２２の下端０６ａ点と上端０６ｂ点を結ぶ線（谷瓦２２の傾斜辺２２ｂのライン）を谷芯１２ｃから谷側線ライン１２ｗ方向に引き寄せることができる。このような谷瓦の移動は、谷瓦の葺設位置を定める桟木のピッチを変えることで容易に行うことができる。すなわち、この場合には、ピッチを大きく設定すれば、谷瓦を棟方向に移動させることができる。
【００１８】
以下、更に上方で隣り合う一連の谷瓦についても同様に棟方向に移動させれば、軒先から棟までの一連の谷瓦の傾斜辺が示すラインは繰り返し屈曲（ジグザグ状に屈曲する一点鎖線で示す）するものの、谷芯１２ｃに沿うものであるから、外見上は谷が一定の幅員を持つように外部から観察することができるのである。すなわち、屋根勾配が０．４の場合を基準として施工する屋根勾配が０．６のように屋根勾配が変化しても、所定の基準屋根勾配０．４に適応した一種類のサイズの谷瓦を使用しながら、所定の谷幅員を実質的に保持するようにできるのである。
なお、ここでは基準屋根勾配が０．４で、施工する屋根勾配を０．６とする事例で説明したが、施工屋根勾配は０．４から０．６の範囲であれば同様であることは言うまでもない。
【００１９】
以上の説明では、内容を簡便にするために、下側の谷瓦２１の下端０４ａを固定して基準としたが、この下側の谷瓦２１自体も支持する桟木ピッチを大に設定して棟方向に２点鎖線で示すように移動させ、かつ、前記と同様にしてその上方の谷瓦２２も移動させれば、このようにしてなる一連の谷瓦の傾斜辺が示すラインはジグザグ状に屈曲する２点鎖線で示される（前記１点鎖線のラインより棟側に平行移動した２点鎖線で示す）ようになり、その結果は前記に同じく、外見上は谷が一定の幅員を持つよう観察されるものとなる。
【００２０】
なお、本発明においては、所定の基準屋根勾配とは、本発明で使用する谷瓦が最も適合する屋根勾配のことであって、すなわち、その谷瓦をその屋根勾配に葺設した場合、一連の谷瓦の傾斜辺が、谷の下部から上部まで一直線状に整列するよう、谷瓦自体の傾斜辺の傾斜角度が最適に設定されている関係を持っているものをいう。
【００２１】
そして、前記した所定の基準屋根勾配としては、屋根勾配０．４０〜０．６０の範囲から適宜に選択可能であるが、本発明では、前記所定の基準屋根勾配を０．４０とした場合がもっとも好ましい、換言すると、屋根勾配を０．４０に葺き上げた一連の谷瓦の傾斜辺が、谷の下部から上部まで一直線状に整列するよう、傾斜辺の傾斜角度ｔを設定したものを基準の谷瓦として使用するのが好ましい。
【００２２】
基準屋根勾配０．４０において上記のように最適な傾斜辺を持つものを基準の谷瓦として用いるのが好ましい理由は、屋根勾配０．４０を基準とした谷瓦を０．４〜０．６０の範囲の屋根勾配に適用した場合、図７に例示するように、軒先から棟までの一連の谷瓦の傾斜辺（ａ点〜ｂ点に至るライン）が示すラインはジグザグ状に屈曲する２点鎖線で示されるが、軒先から見た場合、上側瓦の下端ａ点が下側瓦の上端ｂ点部分に隠れて直接には見えないので、外部の観察者には好印象を与え景観が好ましいからである。
【００２３】
他方、屋根勾配０．６０を基準とした場合には、それに適合する瓦を基準として、０．４〜０．６０の範囲の屋根勾配に適用した場合には、軒先から棟までの一連の谷瓦の傾斜辺（ａ点〜ｂ点に至るライン）が示すラインはジグザグ状に屈曲ラインとなるものの、軒先から見た場合、上側瓦の下端ａ点が下側瓦の上端ｂ点部分により突出して境目が露出することになり、外部から観察する者には不揃いな印象を与え景観上好ましくないのである。
【００２４】
さらに、本発明の谷を含む瓦葺き方法は、施工する屋根勾配（ｘ）に対応した桟木間ピッチ（Ｐx）を、屋根勾配０．４０（基準屋根勾配）場合の桟木間ピッチ（Ｐ0   4  ）と施工屋根勾配（ｘ）とからを次の式１から求めることで好ましく具体化される。
Ｐx＝Ｐ0   4＋Δｋ= Ｐ0   4×０．９２８５（１＋ｘ2）1  /  2  ・・・式１  
【００２５】
ここで、基準屋根勾配が０.４、施工屋根勾配が０.６において、傾斜辺の下端０４ａ点を固定した場合を事例にして前記式１を説明する。
先ず、図1（水平投影図Ａ、傾斜側面図Ｂ）に示すように、谷瓦２１の上端０４ｂ点は０６ｂ点に移動するのであるが、本発明では、そのとき上側の谷瓦２２の下端０６ａ点を、先の勾配が０．４の場合の上端０４ｂ点の位置（水平投影図Ａの場合。傾斜側面図Ｂでは上端０４ｂ点の垂直上方の位置）に移動させるようにすれば、すなわち、上側の谷瓦の移動量Δｋを設定することにより、軒先から棟までの一連の谷瓦の傾斜辺は、図1（Ａ）の水平投影図に示すように、谷芯１２ｃから一定の距離にある谷側線１２ｗに沿ったジグザグライン（一点鎖線または２点鎖線）を示すようになり、前述に通り好ましい外観を呈するのである。
【００２６】
１枚の谷瓦について、このような位置関係を簡略化して図８の側面傾斜図に示すと、屋根勾配ｘが基準の０．４の場合は、底辺長さ（ｍ）と高さを示す側辺（０．４ｍ）および長辺（ｋ）とからなる直角三角形で表すことができる。この場合、長辺（ｋ）は、谷瓦の傾斜辺を頭から尻方向に測った長さであり、図５で示すと、ｋは、ａ点とｂ点の間隔を頭から尻方向（図では垂直方向に）に測った働き長さであり、屋根勾配０．４における桟木間ピッチ（Ｐ0   4  ）に等しいことは先に述べた通りである。
【００２７】
この場合、（ｍ）は、三平方の定理により、ｍ＝０．９２８５ｋとして（ｋ）で表される。そして、屋根勾配をｘとした場合、長辺を（ｋ＋Δｋ）で表すと、同じく三平方の定理により、以下のように（Δｋ）は（ｋ）と（ｘ）とから求めることができる。
（ｋ＋Δｋ）2＝ｍ2＋ｍ2ｘ2
なお、長辺（ｋ）を屋根勾配０．４における桟木間ピッチ（Ｐ0   4）としたとき、長辺（ｋ＋Δｋ）は屋根勾配をｘとした場合の桟木間ピッチ（Ｐｘ）に等しいから、Ｐx＝Ｐ0   4＋Δｋであって、以上から前記式１が導き出される。
【００２８】
かくして、勾配０．４〜０．６の範囲で選択される施工する屋根勾配ｘに対応した最も好ましい桟木間ピッチＰxは、基準屋根勾配０．４における桟木間ピッチＰ0   4と、屋根勾配ｘとから、予め計算で求めることができる。かくして求められる施工する屋根勾配ｘに対応した最も好ましい桟木間ピッチＰxを採用することによって、屋根勾配０．４０において最適な谷瓦を使用しながら、軒先から棟まで一連の谷瓦の傾斜辺が谷芯からほぼ一定の距離でジグザグラインを示すように、外観上好ましい形態に各谷瓦を葺くことが可能となる。
【００２９】
本発明の谷を含む瓦葺き方法は、以上説明したように構成されているので、特定勾配に最適な基準サイズの谷瓦をもって、０．４〜０．６の範囲の異なる屋根勾配に対応することが可能となり、多品種の専用谷瓦が不要となるから、商品在庫を抑制できるという優れた効果がある。よって本発明は、従来の問題点を解消した谷を含む瓦葺き方法として実用的価値はきわめて大なるものがある。
【発明を実施するための最良の形態】
【００３０】
次に、本発明の谷を含む瓦葺き方法に係る実施形態について、以下、各図を参照しながら説明する。
本発明の谷を含む瓦葺き方法は、基本的には図２に例示する桟木１１によって瓦を位置決めする陶器製屋根瓦の葺き上げ構造を形成するものであり、具体的には、図３の水平投影図に示すような、棟から軒先に向けて傾斜して形成され、雨水が集約される谷１２の両側を構成する谷瓦１４および谷瓦１５に係る瓦葺き方法に関するものである。
【００３１】
ここに、図９を参照して、谷の両側を構成する谷瓦のうち、右側の谷瓦である下側谷瓦１５１と、谷に沿って隣り合う上側谷瓦１５２と、それらに組み合わされる平瓦１６との位置関係を説明しておく。
通常の瓦の場合は、先ず（Ａ）にように、所定の屋根勾配の下地上に、下側谷瓦１５１と上側谷瓦１５２とは、それぞれ桟木（図示せず）に係止され、その傾斜辺１５１ｂ、１５２ｂは一直線上に配置される。このような位置関係になるように、所定の屋根勾配に対応する傾斜角ｔが予め設定されていることはすでに図４、５に関連して述べた通りである。
【００３２】
そして、平瓦１６は、その頭部分を下側谷瓦１５１の尻の重ね合わせ部に重ね合わせながら、図（Ａ）から（Ｂ）に変化するように、上側谷瓦１５２を係止する桟木に沿って右側から左方向に移動させられて、そのアンダラップ部１６ａが上側谷瓦１５２の下に差し込まれ、この３者が組み合わされるのである。かくして、軒先から棟に至る一連の谷瓦が葺設されるのである。
【００３３】
本発明は、施工する屋根勾配が０．４０〜０．６０の範囲内に設定される瓦屋根において棟から軒先に向けて傾斜した谷を、所定の基準屋根勾配、好ましくは勾配０．４を基準屋根勾配とし、その屋根勾配に対応するよう傾斜角ｔが予め設定されているサイズの谷瓦を使用して形成する瓦葺き方法であって、その施工する屋根勾配に対応して予め設定した桟木間ピッチを選択する点に特徴がある。
【００３４】
かくして、施工する屋根勾配が所定の基準屋根勾配（好ましくは勾配０．４を基準屋根勾配とする）と異なる場合でも、所定の谷幅員を実質的に保持することができ、勾配に対応した多品種の専用谷瓦が不要となるから、商品在庫を抑制できるという優れた利点が得られる。
【００３５】
本発明では、施工する屋根勾配に対応して予め最適の桟木間ピッチを設定しておくことができることはすでに説明した。
この施工する屋根勾配（ｘ）に対応した最適の桟木間ピッチ（Ｐx）は、屋根勾配０．４０を基準屋根勾配とし、その勾配に対応した桟木間ピッチを（Ｐ0   4  ）、施工屋根勾配を（ｘ）とした次の式１によって算出することができる。
Ｐx＝Ｐ0   4＋Δｋ= Ｐ0   4×０．９２８５（１＋ｘ2）1  /  2  ・・・式１  
その算出結果を表１に示す。
【００３６】
【表１】
0005057889.tif 000002
【００３７】
この表１は、屋根勾配０．４を基準として、施工屋根勾配としては代表的な勾配、０．４５、０．５０、０．５５、０．６０の場合について、Δｋ（ｍｍ）（但し、勾配０．４の桟木間ピッチＰ0   4    を、メートルモジュールを基準とした 269ｍｍとした）、桟木間ピッチPx  (ｍｍ）（但し、Ｐ0   4     = ２６９ｍｍを基準とした）、Px／Ｐ0   4 比の値をそれぞれに示す。
なお、このようにして得られる桟木間ピッチPx  (ｍｍ）などは、数学的に厳密である必要はなく、瓦自体に許される寸法許容値程度の範囲内、例えばプラスマイナス１％程度の変動があっても差支えないのである。
【００３８】
かくして、屋根勾配０．４〜０．６の範囲内において、表１に示す桟木間ピッチを利用することにより、屋根勾配０．４を基準としたサイズ１種類の谷瓦を使用するにも関らず、一連の谷瓦の傾斜辺が表すラインはある程度のジグザグ形状となるものの軒先から棟まで谷幅員を実質的に一定の値に保つことができ、その景観も問題となるようなものではなかった。なお、屋根勾配が０．６の場合には、０．４に比較してピッチを２２ｍｍも大きくする必要があり、そのため谷瓦の傾斜辺が表すジグザグラインの振幅値が約２０ｍｍ（Ｐ0   4   ＝２６９ｍｍの場合）に及ぶが、景観上、問題となる程度ではなかった。
【図面の簡単な説明】
【００３９】
【図１】屋根勾配が変化した場合、本発明の作用を説明するための、谷瓦の位置関係を表す要部水平投影図（Ａ）、要部傾斜側面図（Ｂ）。
【図２】一般的な屋根瓦の葺き上げ断面図。
【図３】谷と隅棟を含む葺設された屋根の水平投影略図。
【図４】谷の左側に配置される谷瓦の平面図（Ａ）、前面図（Ｂ）。
【図５】谷の右側に配置される谷瓦の平面図（Ａ）、前面図（Ｂ）。
【図６】屋根勾配が変化した場合、谷瓦の位置関係を表す要部水平投影図（Ａ）、要部傾斜側面図（Ｂ）。
【図７】谷芯と谷瓦の傾斜辺との位置関係を示す要部水平投影図。
【図８】屋根勾配が変化した場合、適正な桟木間ピッチを求めるための参考傾斜図。
【図９】上下２枚の谷瓦とそれらに組み合わされる平板瓦との配置関係を示す遠近斜視図（Ａ）（Ｂ）。
【符号の説明】
【００４０】
１２：谷、１２ｃ：谷芯、１２ｗ：谷側線ライン
２１：谷瓦、２１ｂ：傾斜辺、２２：谷沿い上方に隣り合う谷瓦、２２ｂ：傾斜辺
ｔ：傾斜辺の傾斜角度
ｘ：屋根勾配
Ｐｘ：屋根勾配ｘに対応する本発明の桟木間ピッチ
Ｐ04：屋根０．４に対応する基準の桟木間ピッチ
【図１】
0005057889.tif 000003
【図２】
0005057889.tif 000004
【図３】
0005057889.tif 000005
【図４】
0005057889.tif 000006
【図５】
0005057889.tif 000007
【図６】
0005057889.tif 000008
【図７】
0005057889.tif 000009
【図８】
0005057889.tif 000010
【図９】
0005057889.tif 000011